(57)【特許請求の範囲】
【請求項１】
複数のディジタル・オーディオ・データ入力手段と、
複数のミキサ入力チャンネルと、
複数の録音トラックを有するマルチトラックレコーダと、
前記複数のミキサ入力チャンネルに入力したデータを選択的に入力する混合バス手段であって、同混合バス手段に入力された入力データをミキシングする機能を備えるとともに、入力データとして前記マルチトラックレコーダからの再生出力を入力可能としたものと、
前記複数のミキサ入力チャンネルそれぞれについて前記複数のディジタル・オーディオ・データ入力手段のうちのいずれかを割り当て設定する入力パッチ手段と、
前記混合バスからのミキシング出力、または前記複数のミキサ入力チャンネルからのダイレクト出力を、前記マルチトラックレコーダの任意のトラックに個別に割り当て設定する録音セレクタ手段と
を備えたマルチトラック・ディジタル録音再生装置において、
前記複数のミキサ入力チャンネルのうちの任意の１乃至複数チャンネルについて、前記ディジタル・オーディオ・データ入力手段の割り当てと前記複数トラックのうちの１つへの結線を、チャンネル毎にそれぞれ指定する、簡易録音設定の指示を受け付ける手段と、
該受け付けた簡易録音設定の指示に応じて、同簡易録音設定で指定されなかったミキサ入力チャンネルについては前記入力パッチ手段による設定状態を保持する一方、同簡易録音設定で指定されたミキサ入力チャンネルについては、前記入力パッチ手段において指定されるディジタル・オーディオ・データ入力手段に代えて同簡易録音設定において指定されたディジタル・オーディオ・データ入力手段を割り当てるとともに、該ミキサ入力チャンネルのダイレクト出力を同ミキサ入力チャンネルと結線されたトラックへルーティングして該トラックを録音指定する手段と
を備えたことを特徴とするマルチトラック・ディジタル録音再生装置。
【請求項２】
請求項１に記載のマルチトラック・ディジタル録音再生装置において、
前記簡易録音設定の指定がされたトラックについては、トラック単位でトラック出力のモニタ用バスへのルーティングを設定し、前記簡易録音設定の指定がされなかったトラックについては、そのトラックのモニタ用バスへのルーティングは簡易録音設定の直前の状態を引き継ぐものであること
を特徴とするマルチトラック・ディジタル録音再生装置。
【請求項３】
請求項１に記載のマルチトラック・ディジタル録音再生装置において、
前記簡易録音設定の指定がされたトラックについては、トラック単位でトラック出力のモニタ用バスへのルーティングを設定し、前記簡易録音設定の指定がされなかったトラックについては、そのトラックのモニタ用バスへのルーティングを禁止するものであること
を特徴とするマルチトラック・ディジタル録音再生装置。
【請求項４】
複数のディジタル・オーディオ・データ入力手段と、
複数のミキサ入力チャンネルと、
複数の録音トラックを有するマルチトラックレコーダと、
前記複数のミキサ入力チャンネルに入力したデータを選択的に入力する混合バス手段であって、同混合バス手段に入力された入力データをミキシングする機能を備えるとともに、入力データとしてマルチトラックレコーダからの再生出力を入力可能としたものと、
前記複数のミキサ入力チャンネルそれぞれについて前記複数のディジタル・オーディオ・データ入力手段のうちのいずれかを割り当て設定する入力パッチ手段と、
前記混合バスからのミキシング出力、または前記複数のミキサ入力チャンネルからのダイレクト出力を、前記マルチトラックレコーダの任意のトラックに個別に割り当て設定する録音セレクタ手段と
を備えたマルチトラック・ディジタル録音再生装置において、
前記の各種設定とは独立して、前記複数のミキサ入力チャンネルと前記マルチトラックレコーダの複数のトラックとをグラフィック表示する簡易録音設定画面を表示する手段と、
前記簡易録音設定画面上で、前記ミキサ入力チャンネルへの前記ディジタル・オーディオ・データ入力手段の割り当てを各チャンネル毎に変更する手段と、
前記簡易録音設定画面上で、前記ミキサ入力チャンネルのうちの任意の１つと前記トラックのうちの任意の１つとをそれぞれ指定して結線を行なう手段と、
実行指示に応じて、前記簡易録音設定画面における前記ミキサ入力チャンネルへの前記ディジタル・オーディオ・データ入力手段の割り当ておよび前記ミキサ入力チャンネルと前記トラックとの結線に従い、前記ミキサ入力チャンネルへの前記ディジタル・オーディオ・データ入力手段の割り当ての設定、および、前記ミキサ入力チャンネルと前記トラックとの結線の設定を一括して実行する手段と
を備えたことを特徴とするマルチトラック・ディジタル録音再生装置。
【請求項５】
請求項１から４の何れか１つに記載のマルチトラック・ディジタル録音再生装置において、
第１のモードと第２のモードとの何れかを選択する手段と、
前記簡易録音設定で、指定されたミキサ入力チャンネルから指定されたトラックへの録音ルーティングを設定する際、第１のモードが選択されているときは、前記録音ルーティングと同時に前記ミキサ入力チャンネルに対して所定の標準録音設定を設定し、第２のモードが選択されているときは、前記ミキサ入力チャンネルの設定状態を変更しないように設定する手段と
を、さらに備えたことを特徴とするマルチトラック・ディジタル録音再生装置。
【請求項６】
複数のディジタル・オーディオ・データ入力手段と、
複数のミキサ入力チャンネルと、
複数の録音トラックを有するマルチトラックレコーダと、
前記複数のミキサ入力チャンネルに入力したデータを選択的に入力する混合バス手段であって、同混合バス手段に入力された入力データをミキシングする機能を備えるとともに、入力データとしてマルチトラックレコーダからの再生出力を入力可能としたものと、
前記複数のミキサ入力チャンネルそれぞれについて前記複数のディジタル・オーディオ・データ入力手段のうちのいずれかを割り当て設定する入力パッチ手段と、
前記混合バスからのミキシング出力、または前記複数のミキサ入力チャンネルからのダイレクト出力を、前記マルチトラックレコーダの任意のトラックに個別に割り当て設定する録音セレクタ手段と
を備えたマルチトラック・ディジタル録音再生装置において、
前記の各種設定とは独立して、前記複数のミキサ入力チャンネルと前記マルチトラックレコーダの複数のトラックとをグラフィック表示するとともに、前記複数のミキサ入力チャンネルの各々への前記ディジタル・オーディオ・データ入力手段の割り当てを示す入力ソースを表示する、簡易録音設定画面を表示する手段と、
前記簡易録音設定画面上に表示されるカーソルを、前記複数のミキサ入力チャンネル、前記複数のトラック、および前記入力ソースの上で移動可能とする手段と、
前記カーソルが、何れかのミキサ入力チャンネルの前記入力ソースの上に位置するとき、変更操作に応じて当該入力ソースを変更する手段と、
前記カーソルが、前記複数のミキサ入力チャンネルまたは前記複数のトラックの上に位置するとき、設定操作された場合、当該ミキサ入力チャンネルまたはトラックを選択状態にするとともに、カーソル移動の制限モードを設定し、カーソルが前記複数のミキサ入力チャンネルまたは前記複数のトラックの上に移動を制限されるように制御する手段と、
前記制限モードのとき、前記ミキサ入力チャンネルが選択されていたときは前記複数のトラックのうちの何れか、前記トラックが選択されていたときは前記複数のミキサ入力チャンネルのうちの何れかに、カーソルが位置して設定操作された場合、前記選択状態にあるミキサ入力チャンネルまたはトラックと、今回カーソルを合わせて設定操作したトラックまたはミキサ入力チャンネルとを結線する手段と、
実行指示に応じて、前記簡易録音設定画面で変更された各ミキサ入力チャンネルの入力ソースに従い、当該ミキサ入力チャンネルへの前記ディジタル・オーディオ・データ入力手段の割り当ての設定を行なうとともに、前記簡易録音設定画面の各ミキサ入力チャンネルから前記トラックの結線に従い、当該ミキサ入力チャンネルの前記トラックとの結線の設定を行なう手段と
を備えたことを特徴とするマルチトラック・ディジタル録音再生装置。
【発明の詳細な説明】
【０００１】
【発明の属する技術分野】
この発明は、ディジタル・オーディオ・データをマルチトラックでハードディスク装置などの外部記憶装置に録音して再生する録音再生装置に関する。
【０００２】
【従来の技術】
従来より、入力したアナログ信号のオーディオ・データをディジタル・データに変換し、またディジタル・データであるオーディオ・データをそのまま入力し、ミキシングして出力するディジタル・ミキサが知られている。また従来より、ディジタル・オーディオ・データをハードディスク装置などの外部記憶装置に録音し再生するディジタル・レコーダが知られている。ディジタル・レコーダには、複数系列のオーディオ・データを複数のトラックに分けて録音できるマルチトラックのものがある。近年では、上述したディジタル・ミキサとマルチトラックのディジタル・レコーダとを組み合わせたものが知られている。
【０００３】
従来のディジタル・ミキサとマルチトラックのディジタル・レコーダとを組み合わせたものでは、各入力チャンネルへ入力する信号のパッチング（選択的な結線）を可能にしたものが知られている。これは、ディジタル・ミキサへの入力である複数のアナログ入力信号、複数のディジタル入力信号、および内部サンプラや外部エフェクタなどからの入力信号を、ディジタル・ミキサの各入力チャンネルへ、任意に割り当てる機能である。また、各入力チャンネルからどのバスへ出力するか、あるいは、ダイレクトに出力するかを設定することが可能なものが知られている。これは、ディジタル・ミキサの各入力チャンネルから複数のミキシング用バスおよびステレオバスなどのバスへの出力、あるいはミキシングせずに入力した信号をダイレクトに出力することを設定する機能である。ダイレクトに出力された信号あるいはミキシングバスなどのバスからの出力信号はディジタル・レコーダの録音用の各トラックへ任意に割り当てることができるようになっている。
【０００４】
以上のように入力信号のパッチングおよび録音すべきチャンネルの選択などが自由にパッチングできるようになったため、録音時に却ってパッチングの設定に手間がかかるようになった。
【０００５】
そこで、入力信号を他の入力信号とミキシングせずにそのまま録音しようとするときのパッチングを簡単にするための簡易録音設定（クイックＲＥＣ）機能を用意したものが知られている。図１３は、所定の操作に応じて表示されるクイックＲＥＣ画面を示す。この画面で、複数の入力チャンネル、ルーティング、およびトラックについて、最初の録音に適したようにまとめて設定することができる。
【０００６】
図１３において、１３０１の「ＩＮＰＵＴ  ＣＨ」は入力信号を表す。例えば、８チャンネル分のアナログ入力やスロットに挿入されたカードによる８チャンネル分の入力などが選択可能である。１３０２の「ＭＩＸＥＲ  ＣＨ」は、ディジタル・ミキサのミキサ入力チャンネル１〜８と９〜１６の２通りのブロックが固定で表示されている。同様に、１３０３の「ＲＥＣ  ＴＲ」は、録音トラック番号１〜８と９〜１６の２通りのブロックが固定で表示されている。「ＭＩＸＥＲ  ＣＨ」と「ＲＥＣ  ＴＲ」については、操作子操作で変更することができない。
【０００７】
この画面により、１３０１の「ＩＮＰＵＴ  ＣＨ」を適宜設定してＥＸＥＣＵＴＥ１３０４の指示を行なうことにより、▲１▼「ＩＮＰＵＴ  ＣＨ」に表示されている各入力が「ＭＩＸＥＲ  ＣＨ」に表示されている各入力チャンネルに入力されるように入力パッチが設定され、かつ、▲２▼「ＭＩＸＥＲ  ＣＨ」に表示されている各入力チャンネルの出力がダイレクトに「ＲＥＣ  ＴＲ」に表示されている内部レコーダの各トラックへ入力されるように設定される。
【０００８】
【発明が解決しようとする課題】
上述した簡易録音設定機能では、８入力チャンネルおよび８トラック単位で設定するようになっており、小回りが利かなかった。例えば、既にトラック２に録音されており、それを消さずに別のトラックに録音したい場合、トラック１〜８の簡易録音設定を行なった後に、トラック２を録音しないトラックに指定し直さなければならなかった。
【０００９】
また、上述した簡易録音設定機能では、入力チャンネルに何が入力されているかを変更することができなかった。すなわち、簡易録音設定の前または後に、別の設定画面で入力チャンネルへの入力割り当てを選択設定する必要があった。
【００１０】
さらに上述の簡易録音設定では、各入力チャンネルのコンプレッサ、イコライザ、およびフェーダなどの設定（特性設定）をすべて初期設定するようになっていた。これは、簡易録音設定の直前にフェーダなどが絞られたままになっていたり、コンプレッサを強く掛けていた場合に、その調整を直すのを忘れてそのままの状態で録音してしまうと、入力の適切でない録音になってしまい、そのような事故を防ぐために初期設定するものである。しかし、簡易録音設定の直前に調整していた入力チャンネルの状態を保持したまま、簡易録音設定後の録音をしたいという場合もあり、従来の仕様ではそのような要求に対応することができなかった。
【００１１】
この発明は、上述の従来技術における問題点に鑑み、ディジタル・ミキサとマルチトラックのディジタル・レコーダとを組み合わせたものにおいて、録音時に、録音のソースとなる信号と録音するレコードトラックとのパッチングを容易にかつ柔軟に設定することを可能にする録音再生装置を提供することを目的とする。
【００１２】
【課題を解決するための手段】
この目的を達成するため、請求項１に係る発明は、複数のディジタル・オーディオ・データ入力手段と、複数のミキサ入力チャンネルと、複数の録音トラックを有するマルチトラックレコーダと、前記複数のミキサ入力チャンネルに入力したデータを選択的に入力する混合バス手段であって、同混合バス手段に入力された入力データをミキシングする機能を備えるとともに、入力データとして前記マルチトラックレコーダからの再生出力を入力可能としたものと、前記複数のミキサ入力チャンネルそれぞれについて前記複数のディジタル・オーディオ・データ入力手段のうちのいずれかを割り当て設定する入力パッチ手段と、前記混合バスからのミキシング出力、または前記複数のミキサ入力チャンネルからのダイレクト出力を、前記マルチトラックレコーダの任意のトラックに個別に割り当て設定する録音セレクタ手段とを備えたマルチトラック・ディジタル録音再生装置において、前記複数のミキサ入力チャンネルのうちの任意の１乃至複数チャンネルについて、前記ディジタル・オーディオ・データ入力手段の割り当てと前記複数トラックのうちの１つへの結線を、チャンネル毎にそれぞれ指定する、簡易録音設定の指示を受け付ける手段と、該受け付けた簡易録音設定の指示に応じて、同簡易録音設定で指定されなかったミキサ入力チャンネルについては前記入力パッチ手段による設定状態を保持する一方、同簡易録音設定で指定されたミキサ入力チャンネルについては、前記入力パッチ手段において指定されるディジタル・オーディオ・データ入力手段に代えて同簡易録音設定において指定されたディジタル・オーディオ・データ入力手段を割り当てるとともに、該ミキサ入力チャンネルのダイレクト出力を同ミキサ入力チャンネルと結線されたトラックへルーティングして該トラックを録音指定する手段とを備えたことを特徴とする。
【００１４】
請求項２に係る発明は、請求項１に記載のマルチトラック・ディジタル録音再生装置において、前記簡易録音設定の指定がされたトラックについては、トラック単位でトラック出力のモニタ用バスへのルーティングを設定し、前記簡易録音設定の指定がされなかったトラックについては、そのトラックのモニタ用バスへのルーティングは簡易録音設定の直前の状態を引き継ぐものであることを特徴とする。
【００１５】
請求項３に係る発明は、請求項１に記載のマルチトラック・ディジタル録音再生装置において、前記簡易録音設定の指定がされたトラックについては、トラック単位でトラック出力のモニタ用バスへのルーティングを設定し、前記簡易録音設定の指定がされなかったトラックについては、そのトラックのモニタ用バスへのルーティングを禁止するものであることを特徴とする。
【００１６】
請求項４に係る発明は、複数のディジタル・オーディオ・データ入力手段と、複数のミキサ入力チャンネルと、複数の録音トラックを有するマルチトラックレコーダと、前記複数のミキサ入力チャンネルに入力したデータを選択的に入力する混合バス手段であって、同混合バス手段に入力された入力データをミキシングする機能を備えるとともに、入力データとしてマルチトラックレコーダからの再生出力を入力可能としたものと、前記複数のミキサ入力チャンネルそれぞれについて前記複数のディジタル・オーディオ・データ入力手段のうちのいずれかを割り当て設定する入力パッチ手段と、前記混合バスからのミキシング出力、または前記複数のミキサ入力チャンネルからのダイレクト出力を、前記マルチトラックレコーダの任意のトラックに個別に割り当て設定する録音セレクタ手段とを備えたマルチトラック・ディジタル録音再生装置において、前記の各種設定とは独立して、前記複数のミキサ入力チャンネルと前記マルチトラックレコーダの複数のトラックとをグラフィック表示する簡易録音設定画面を表示する手段と、前記簡易録音設定画面上で、前記ミキサ入力チャンネルへの前記ディジタル・オーディオ・データ入力手段の割り当てを各チャンネル毎に変更する手段と、前記簡易録音設定画面上で、前記ミキサ入力チャンネルのうちの任意の１つと前記トラックのうちの任意の１つとをそれぞれ指定して結線を行なう手段と、実行指示に応じて、前記簡易録音設定画面における前記ミキサ入力チャンネルへの前記ディジタル・オーディオ・データ入力手段の割り当ておよび前記ミキサ入力チャンネルと前記トラックとの結線に従い、前記ミキサ入力チャンネルへの前記ディジタル・オーディオ・データ入力手段の割り当ての設定、および、前記ミキサ入力チャンネルと前記トラックとの結線の設定を一括して実行する手段とを備えたことを特徴とする。
【００１７】
請求項５に係る発明は、請求項１から４の何れか１つに記載のマルチトラック・ディジタル録音再生装置において、第１のモードと第２のモードとの何れかを選択する手段と、前記簡易録音設定で、指定されたミキサ入力チャンネルから指定されたトラックへの録音ルーティングを設定する際、第１のモードが選択されているときは、前記録音ルーティングと同時に前記ミキサ入力チャンネルに対して所定の標準録音設定を設定し、第２のモードが選択されているときは、前記ミキサ入力チャンネルの設定状態を変更しないように設定する手段とを、さらに備えたことを特徴とする。
【００２２】
請求項６に係る発明は、複数のディジタル・オーディオ・データ入力手段と、複数のミキサ入力チャンネルと、複数の録音トラックを有するマルチトラックレコーダと、前記複数のミキサ入力チャンネルに入力したデータを選択的に入力する混合バス手段であって、同混合バス手段に入力された入力データをミキシングする機能を備えるとともに、入力データとしてマルチトラックレコーダからの再生出力を入力可能としたものと、前記複数のミキサ入力チャンネルそれぞれについて前記複数のディジタル・オーディオ・データ入力手段のうちのいずれかを割り当て設定する入力パッチ手段と、前記混合バスからのミキシング出力、または前記複数のミキサ入力チャンネルからのダイレクト出力を、前記マルチトラックレコーダの任意のトラックに個別に割り当て設定する録音セレクタ手段とを備えたマルチトラック・ディジタル録音再生装置において、前記の各種設定とは独立して、前記複数のミキサ入力チャンネルと前記マルチトラックレコーダの複数のトラックとをグラフィック表示するとともに、前記複数のミキサ入力チャンネルの各々への前記ディジタル・オーディオ・データ入力手段の割り当てを示す入力ソースを表示する、簡易録音設定画面を表示する手段と、前記簡易録音設定画面上に表示されるカーソルを、前記複数のミキサ入力チャンネル、前記複数のトラック、および前記入力ソースの上で移動可能とする手段と、前記カーソルが、何れかのミキサ入力チャンネルの前記入力ソースの上に位置するとき、変更操作に応じて当該入力ソースを変更する手段と、前記カーソルが、前記複数のミキサ入力チャンネルまたは前記複数のトラックの上に位置するとき、設定操作された場合、当該ミキサ入力チャンネルまたはトラックを選択状態にするとともに、カーソル移動の制限モードを設定し、カーソルが前記複数のミキサ入力チャンネルまたは前記複数のトラックの上に移動を制限されるように制御する手段と、前記制限モードのとき、前記ミキサ入力チャンネルが選択されていたときは前記複数のトラックのうちの何れか、前記トラックが選択されていたときは前記複数のミキサ入力チャンネルのうちの何れかに、カーソルが位置して設定操作された場合、前記選択状態にあるミキサ入力チャンネルまたはトラックと、今回カーソルを合わせて設定操作したトラックまたはミキサ入力チャンネルとを結線する手段と、実行指示に応じて、前記簡易録音設定画面で変更された各ミキサ入力チャンネルの入力ソースに従い、当該ミキサ入力チャンネルへの前記ディジタル・オーディオ・データ入力手段の割り当ての設定を行なうとともに、前記簡易録音設定画面の各ミキサ入力チャンネルから前記トラックの結線に従い、当該ミキサ入力チャンネルの前記トラックとの結線の設定を行なう手段とを備えたことを特徴とする。
【００２３】
【発明の実施の形態】
以下、図面を用いてこの発明の実施の形態を説明する。
【００２４】
図１は、本発明の実施の形態に係るミキシング機能を備えたマルチトラック・ディジタル録音再生装置の全体構成を示す。この装置は、表示器１０１、フェーダ１０２、操作子１０３、中央処理装置（ＣＰＵ）１０４、フラッシュメモリ１０５、ランダム・アクセス・メモリ（ＲＡＭ）１０６、パーソナル・コンピュータとの入出力（Ｉ／Ｏ）インターフェース１０７、ハードディスク（ＨＤ）１０８、転送回路１０９、バッファメモリ１１０、ディジタル・シグナル・プロセッサ（ＤＳＰ）１１１、およびバスライン１２２を備えている。また、外部接続端子として、アナログ入力（ＡＤ）１１２、ディジタル入力（ＤｉｎＬ／Ｒ）１１３、スロット（ＳＬ）１１４，１１５、アナログ出力（ＡｏｕｔＬ／Ｒ）１１８、ディジタル出力（ＤｏｕｔＬ／Ｒ）１１９、オムニ出力（ＯＭＮＩ）１２０、および外部エフェクタ入力（ＥＦ）１２１を備えている。
【００２５】
アナログ入力（ＡＤ）１１２は、アナログのオーディオ・データ入力端子（８本ある）を示し、ここから入力したアナログ・オーディオ・データは不図示のアナログ・ディジタル変換器によりディジタル・データに変換されてＤＳＰ１１１に入力する。ディジタル入力（ＤｉｎＬ／Ｒ）１１３は、ステレオ２チャンネル（以下、ｃｈと略す）のディジタル・オーディオ・データの入力端子を示す。アナログ出力（ＡｏｕｔＬ／Ｒ）１１８は、ＤＳＰ１１１からのステレオ２ｃｈの出力を不図示のディジタル・アナログ変換器によりアナログ信号に変換して出力する外部端子を示す。ディジタル出力（ＤｏｕｔＬ／Ｒ）１１９は、ＤＳＰ１１１からのステレオ２ｃｈのディジタル出力端子を示す。オムニ出力（ＯＭＮＩ）１２０は、ＤＳＰ１１１からの４ｃｈ分のディジタル・データ出力端子を示す。外部エフェクタ入力（ＥＦ）１２１は、外部エフェクタ（効果付与装置）からのステレオ２ｃｈが２系列分（合わせて４ｃｈ分）の入力を示す。
【００２６】
スロット（ＳＬ）１１４，１１５は、本装置に設けられている２つのスロットを示す。それぞれのスロットには、種々のオプション・カードを挿入することができる。図では、スロット１１４にカード１１６を挿入し、スロット１１５にカード１１７を挿入した例を示している。カード１１６，１１７は、例えばアナログ入力用のアナログ・ディジタル変換カード、ディジタルＩ／Ｏカード、アナログ出力用のディジタル・アナログ変換カードなどである。これらのカードをスロット１１４，１１５に挿入することで、外部接続用の入出力端子を増やすことができる。入力用のカードとしては１つのカードで最大８ｃｈの入力を受け付けるカードを挿すことができ、出力用のカードとしては１つのカードで最大８ｃｈの出力を行なうカードを挿すことができる。
【００２７】
表示器１０１は、各種の情報を表示するためのディスプレイ（液晶表示装置など）である。フェーダ１０２は、適宜割り当てた入力または出力のｃｈのレベル調整などを行なうスライドボリューム形式の操作子である。操作子１０３は、各種のスイッチなどである。ＣＰＵ１０４は、この装置全体の動作を制御する。フラッシュメモリ１０５は、ＣＰＵ１０４が実行する制御プログラムなどを格納する。ＲＡＭ１０６は、ＨＤ１０８に格納されているプログラムをロードしてＣＰＵ１０４により実行するための領域、およびワーク領域などに使用する。パーソナル・コンピュータ（ＰＣ）とのＩ／Ｏインターフェース１０７は、ＰＣと接続するためのインターフェースである。ハードディスク（ＨＤ）１０８は、ＣＰＵ１０４で実行するプログラムや各種のデータを格納する外部記憶装置であり、特にディジタル・オーディオ・データの録音用の領域を備えている。バッファメモリ１１０は、ＨＤ１０８での録音・再生時に録音・再生用のデータを一時記憶するバッファである。ディジタル・シグナル・プロセッサ（ＤＳＰ）１１１は、後述するオーディオ・データのミキシング処理や、エフェクト付与処理などを行なう。
【００２８】
転送回路１０９は、ＣＰＵ１０４の指示にしたがって、ＨＤ１０８とバッファメモリ１１０との間のデータ転送１３１、およびＤＳＰ１１１とバッファメモリ１１０との間のデータ転送１３２を制御する。ＨＤ１０８に対する録音および再生は、マルチトラック（トラックとはオーディオ・データを録音・再生する系列を表す概念であり、ＨＤの円盤上に同心円状に並ぶ物理的な記憶領域を示すトラックとは異なる）で行なわれる。１トラック分の録音における転送回路１０９の基本的な動作は、▲１▼サンプリング周期ごとにＤＳＰ１１１から録音用のデータを１サンプル受け取ってバッファメモリ１１０に書き込む、▲２▼バッファメモリ１１０に１クラスタ分のサンプルがたまったらそれをＨＤ１０８の当該トラック記憶領域へ転送する、▲３▼その転送の間も上記▲１▼の動作は継続する、というものである。また、１トラック分の再生における転送回路１０９の基本的な動作は、▲１▼当該トラックの先頭の２以上のクラスタのサンプルをＨＤ１０８から読み出してバッファメモリ１１０に書き込む、▲２▼サンプリング周期ごとにバッファメモリ１１０から１サンプル読み出してＤＳＰ１１１に渡す、▲３▼バッファメモリ１１０に１クラスタ分の空き領域（再生し終えたサンプルの記憶領域）ができたら、ＨＤ１０８からその空き領域へ後続の１クラスタ分のデータを転送する、というものである。なお、クラスタとは、ＨＤ１０８に対してデータを読み書きするための論理的な最小単位を表す。
【００２９】
図２は、図１の装置のパネル外観図を示す。パネル上には、図１の表示器１０１、フェーダ１０２、および操作子１０３が設けられている。２０１は図１の表示器１０１に相当するディスプレイ２０１である。２１０はシフトキー、２１１〜２１５はＦ１〜Ｆ５キーを示す。２２１はディスプレイ２０１に表示されるカーソルを移動するためのカーソル移動キー、２２３はエンターキーである。２２２は各種データの設定値を設定変更するための値入力操作子（データ入力ダイアル）である。
【００３０】
２３１−１〜２３１−１６は、それぞれ、後述するミキサ入力ｃｈに割り当てて、割り当てたミキサ入力ｃｈに関する制御を行なう操作子セットである。ミキサ入力ｃｈとは、ミキシングを行なう混合バスへの入力系列を表すもので、ミキサ入力ｃｈ１からミキサ入力ｃｈ２４までの２４ｃｈがあるが、詳しくは図３で説明する。操作子セット２３１−１のうち、２３２は当該ミキサ入力ｃｈに関する画面を表示して各種の設定（周波数特性調整、コンプレッサ、およびパンなどの制御）を行なうことを指示するＳＥＬキー、２３３は当該ミキサ入力ｃｈのオン／オフの切り替えに使用するＯＮキー、２３４は当該ミキサ入力ｃｈの音量レベル調整のためのフェーダ（スライドボリューム形式の操作子）である。ＳＥＬキー２３２およびＯＮキー２３３は、押下されて選択状態になると点灯し再度押下されて非選択状態になると消灯する自光式のスイッチである。１−１６ｃｈ選択キー２６１を押下すると、上記の操作子セット２３１−１はミキサ入力ｃｈ１に割り当てられ、該ミキサ入力ｃｈ１に関する制御を行なう操作子セットとなる。また、１７−２４ｃｈ選択キー２６２を押下すると、上記の操作子セット２３１−１はミキサ入力ｃｈ１７に割り当てられ、該ミキサ入力ｃｈ１７に関する制御を行なう操作子セットとなる。そのことを示すため、操作子セット２３１−１の上には、「１」と「１７」の数字がパネル上に印刷されている。
【００３１】
上記の操作子セット２３１−１の右側に、同様の操作子セット２３１−２〜２３１−１６が設けられている。それぞれの操作子セットの上側に印刷されている数字は、１−１６ｃｈ選択キー２６１または１７−２４ｃｈ選択キー２６２がオンされたときの当該操作子セットによる制御対象ミキサ入力ｃｈを示す。なお、ミキサ入力ｃｈ１５とミキサ入力ｃｈ１６の制御を行なう操作子セット２３１−１５，２３１−１６の上側には、「１５」と「１６」の印刷の下側に「ＲＴＮ１」と「ＲＴＮ２」と印刷されている。これは、１７−２４ｃｈ選択キー２６２がオンされたとき、これらの操作子セット２３１−１５，２３１−１６が、２ｃｈのエフェクト・リターンｃｈ（後述する図３の３１３）に関する制御を行なうための操作子セットとして割り当てられることを示している。また、２４１は、全体のステレオ２ｃｈの出力に関する制御を行なうための操作子セットである。
【００３２】
２６４はＳＯＬＯキーである。ＳＯＬＯキー２６４をオンすると（ＳＯＬＯキーのキートップが点灯し）、各ｃｈのＯＮキー２３３の何れかをオンすることにより、当該ｃｈの音のみが出力されるようになる。ＲＥＷキー２５１、ＦＦキー２５２、ＰＬＡＹキー２５３、ＲＥＣキー２５４、ＰＡＵＳＥキー２５５、およびＳＴＯＰキー２５６は、それぞれ、巻き戻し、早送り、再生、録音、一時停止、および動作中止を指示するキーである。
【００３３】
２６３は録音するトラックを選択するための録音トラックスイッチである。「１」〜「１６」と印刷された各スイッチをオンすることにより、そのトラック番号のトラックが録音可能状態となる。２６５は、ＳＥＴＵＰキーである。ＳＥＴＵＰキーをオンすることにより、後述する入出力のパッチングの設定が可能になる。２６６はＲＥＣＯＲＤＥＲキーである。ＲＥＣＯＲＤＥＲキー２６６をオンすることにより、図３で後述するレコーダｃｈ３２０に入力する信号に関して、図２の操作子セット２３１−１〜２３１−１６を用いて、周波数特性調整、コンプレッサ、およびパンなどの制御（ＳＥＬキーによる）や、音量レベル調整（フェーダによる）を行なうことができる。２６７はＱｕｉｃｋ  ＲＥＣキーである。Ｑｕｉｃｋ  ＲＥＣキー２６７をオンすることにより、図６以降で後述するＱｕｉｃｋ  ＲＥＣ画面が表示され、複数の割り当てを簡単に行なうことができる。
【００３４】
図３は、ＤＳＰ１１１により実現されるミキシング処理の概要を表すブロック図である。３０１〜３０６はミキシング処理への入力を示す。ＡＤ３０１は、８本あるアナログ入力（図１のＡＤ１１２）からそれぞれアナログ・ディジタル変換された８ｃｈの入力を示す。ＳＬｉｎ３０２，３０３は、２つあるスロット（図１のＳＬ１１４，１１５）に入力用のオプション・カードを挿入したときの当該カードによる入力を示す。１つのスロットで最大８ｃｈの入力を受け付けるカードを挿すことができるので、２つのスロットで合わせて最大１６ｃｈの入力を受け付けることができる。ＤｉｎＬ／Ｒ３０４は、ステレオ２ｃｈのディジタル入力（図１のＤｉｎＬ／Ｒ１１３）を示す。
【００３５】
内部サンプラ３０５は、不図示の内部波形メモリ音源からの８ｃｈ分の入力である。この内部波形メモリ音源の各ｃｈには、任意の楽音波形を記憶させることができ、所定のスイッチの押下により随時その楽音を発生させることができる。例えば、拍手などの効果音を記憶させておき、必要なときに発生させるなどの使い方が可能である。
【００３６】
ＥＦ３０６は、不図示の外部エフェクタ（効果付与装置）からのステレオ２ｃｈが２系列の入力（図１のＥＦ１２１）を示す。本装置では、後述するＡＵＸバスの１〜６ｃｈから取り出したディジタル・オーディオ・データを外部のエフェクタに入力してエフェクト付与し、そのエフェクト付与済みのディジタル・オーディオ・データを再び入力側に戻すことができる。ＥＦ３０６は、そのようなエフェクト入力を示す。なお、ＤＳＰ１１１は、図３では不図示の内部エフェクタとしても機能し、ＡＵＸバスの７ｃｈ，８ｃｈから取り出したディジタル・オーディオ・データをその内部エフェクタでエフェクト付与し、その結果をＥＦ３０６から入力側に戻すこともできる。
【００３７】
３３１〜３３５はミキシング処理の出力を示す。ＡｏｕｔＬ／Ｒ３３１は、ステレオ２ｃｈのアナログ出力（図１のＡｏｕｔＬ／Ｒ１１８）を示す。ＤｏｕｔＬ／Ｒ３３２は、ステレオ２ｃｈのディジタル出力（図１のＤｏｕｔＬ／Ｒ１１９）を示す。ＳＬｏｕｔ３３３，３３４は、２つあるスロットにデータ出力用のオプション・カードを挿入したときの当該カードによる出力を示す。１つのスロットで最大８ｃｈの出力を行なうことができるカードを指すことができるので、２つのスロットで合わせて最大１６ｃｈの出力を行なうことができる。ＯＭＮＩ３３５は、４ｃｈのディジタル出力（図１のＯＭＮＩ１２０）を示す。
【００３８】
３１４〜３１７はミキシングを行なう混合バスを示す。３１４は８ｃｈの汎用バス（録音および再生用）でありＢＵＳ１〜８で表す。３１５は２ｃｈのステレオ録音再生用バスでありＳｔｅｒｅｏ＿Ｌ／Ｒで表す。３１６はステレオ２ｃｈのソロ用バス（再生用）でありＳｏｌｏ＿Ｌ／Ｒで表す。３１７はＡＵＸ用バス（録音および再生用）でありＡＵＸ１〜８で表す。
【００３９】
３１２はミキサ入力ｃｈを示す。ミキサ入力ｃｈは、ミキシングを行なう混合バス３１４〜３１７への入力系列を表す。ミキサ入力ｃｈ３１２は、全部で２４ｃｈあり、各ｃｈごとに、それぞれ図２で説明した操作子セット２３１−１〜２３１−１６を割り当てて、入力の周波数特性調整、コンプレッサ、およびパンなどの制御（図２のＳＥＬキーによる）や、音量レベル調整（図２のフェーダによる）を行なうことができる。
【００４０】
図３でミキサ入力ｃｈ３１２から各混合バス３１４〜３１７に矢印が入っているように、ミキサ入力ｃｈは任意の混合バスに選択的に接続できる。特に、各ミキサ入力ｃｈから、フェーダによりｃｈレベル制御した信号を、８本の汎用バスＢＵＳ１〜８、または２本のステレオ録音用バスＳｔｅｒｅｏ＿Ｌ／Ｒへ選択的に出力可能である。また、各ミキサ入力ｃｈから、ｃｈレベル制御する前の信号を、２本のソロ用バスＳｏｌｏ＿Ｌ／Ｒへ出力可能である。さらに、各ミキサ入力ｃｈから、ｃｈレベル制御した信号にさらにＡＵＸレベル制御した信号を８本のＡＵＸバスＡＵＸ１〜８へ出力可能である。また、２４ｃｈの中の最初の１６ｃｈは、内部レコーダの１６個のトラックへ直接入力するためのダイレクトアウトを持っている。ミキサ入力ｃｈ３１２から後述する録音セレクタ３１８への矢印がダイレクトアウトに相当する。なお、ダイレクトアウトでは、ｎ番目の入力ｃｈからｎ番目のトラックへ入力、すなわち１対１の対応関係になっている。さらに、ミキサ入力ｃｈから、後述する出力パッチ３２１を介して出力端子３３１〜３３５に出力することができる。
【００４１】
エフェクト・リターンｃｈ３１３は、２ｃｈの外部エフェクタまたは内部エフェクタからのリターン信号入力用の系列である。各ｃｈごとに、それぞれ図２で説明した操作子セット２３１−１５，２３１−１６を割り当てて、入力の周波数特性調整、コンプレッサ、およびパンなどの制御（図２のＳＥＬキーによる）や、音量レベル調整（図２のフェーダによる）を行なうことができる。図３でエフェクト・リターンｃｈ３１３から各混合バス３１４〜３１７に矢印が入っているように、エフェクト・リターンｃｈは任意の混合バスに接続できる。
【００４２】
ミキサ入力ｃｈ３１２とエフェクト・リターンｃｈ３１３に対し、上述の最大３０本の外部入力（３０１〜３０４，３０６）および８本の内部入力（３０５）の全３８本の入力のうちの何れか１つを選択的に割り当てることができる。入力パッチ３１１は、その割り当てを行なう機構である。入力パッチ３１１により割り当てを行なう際の画面は図４で後述する。
【００４３】
ＨＤレコーダ３１９は、１６トラック録音／１６トラック再生が可能な内部レコーダである。各トラックには、録音用の入力として、８本の汎用バスＢＵＳ１〜８、ミキサ入力ｃｈ３１２からの１６本のダイレクトアウト、１組（２本）のステレオ録音再生用バスＳｔｅｒｅｏ＿Ｌ／Ｒ、または８本のＡＵＸバスＡＵＸ１〜８の全３４本のうちの何れか１本を選択的に入力可能である。その割り当ては、録音セレクタ３１８により行なう。録音セレクタによる割り当てを行なう画面は図４で後述する。さらに、Ｑｕｉｃｋ  ＲＥＣキー２６７をオンすることにより、より簡単に、図６以降で説明する画面で上記の割り当てを行なうことができる。
【００４４】
ＨＤレコーダ３１９の各トラックの再生出力は、レコーダｃｈ３２０に供給される。レコーダｃｈ３２０は、内部レコーダの１６トラックに対応して１６ｃｈ設けられている。各レコーダｃｈ３２０では、図２のＲＥＣＯＲＤＥＲキー２６６をオンすることにより、入力する信号に対して、周波数特性調整、コンプレッサ、およびパンなどの制御（図２のＳＥＬキーによる）や、音量レベル調整（図２のフェーダによる）を行なうことができる。各レコーダｃｈへは、対応するトラックの録音用の入力（ＨＤレコーダ３１９から再生したデータを再びＢＵＳ経由で録音用にする場合）、または対応するトラックからの再生出力が入力される。各レコーダｃｈ３２０から、フェーダによりｃｈレベル制御した信号を、８本の汎用バスＢＵＳ１〜８、または２本のステレオ録音用バスＳｔｅｒｅｏ＿Ｌ／Ｒへ選択的に出力可能である。また、各レコーダｃｈ３２０から、ｃｈレベル制御する前の信号を、２本のソロ用バスＳｏｌｏ＿Ｌ／Ｒへ出力可能である。さらに、各レコーダｃｈ３２０から、ｃｈレベル制御した信号にさらにＡＵＸレベル制御した信号を８本のＡＵＸバスＡＵＸ１〜８へ出力可能である。
【００４５】
各混合バス３１４〜３１７またはミキサ入力ｃｈ３１２から、選択的に各出力端子３３１〜３３５にデータ出力できる。その割り当ては、出力バッチ３２１の機構による。出力パッチ３２１により割り当てを行なう際の画面は図５で後述する。
【００４６】
図４は、入力パッチ３１１による割り当て、および録音セレクタ３１８による割り当てを行なう画面例を示す。この画面は、図２のＳＥＴＵＰキー２６５をオンすることにより表示される。
【００４７】
図４において、４０１の「ＭＩＸＥＲ  ＣＨＡＮＮＥＬ  ＩＮＰＵＴ  ＡＳＳＩＧＮ」の領域は、ミキサ入力ｃｈ１〜ミキサ入力ｃｈ２４およびエフェクト・リターンｃｈに、どの入力３０１〜３０６を割り当てるかを指示する領域である。並べて表示されている「１」から「２４」の数字でミキサ入力ｃｈ１〜ミキサ入力ｃｈ２４を表し、その下に、割り当てた入力を「ＡＤ１」、「ＡＤ２」、…、「ＳＬ１−１」、…、「ＳＬ２−１」、…というように示している。「ＡＤ１」、「ＡＤ２」、…は、アナログ入力ＡＤ３０１の１番目、２番目、…を示す。「ＳＬ１−１」、…は、スロット１のオプション・カードの入力３０２の１番目、２番目、…を示す。「ＳＬ２−１」、…は、スロット２のオプション・カードの入力３０３の１番目、２番目、…を示す。また、「ＲＴＮ１」と「ＲＴＮ２」は、エフェクト・リターンｃｈ３１３への入力割り当てを示す。「ＲＴＮ１」と「ＲＴＮ２」に割り当ててある「ＥＦＦ１  Ｌ／Ｒ」と「ＥＦＦ２  Ｌ／Ｒ」は、エフェクト・リターンｃｈ３１３へ、エフェクト入力ＥＦ３０６を割り当ててあることを示す。
【００４８】
４０２の「ＥＦＦＥＣＴ  ＰＡＴＣＨ」は、内部エフェクタへの入力の割り当てを示す。「ＥＦＦ１」と「ＥＦＦ２」は内部エフェクタを示し、ここではＡＵＸ７とＡＵＸ８から内部エフェクタに入力するように割り当ててある。
【００４９】
４０３の「ＨＤＲ  ＴＲＡＣＫ  ＩＮＰＵＴ  ＡＳＳＩＧＮ」は、録音セレクタ３１８による割り当てを示す。並べて表示されている「１」から「１６」の数字で１６あるトラックを表し、その下に、各トラックへの入力を「ＢＵＳ１」、「ＢＵＳ２」、…、「ＤＩＲ１」、「ＤＩＲ２」、…というように表示している。「ＢＵＳ１」、「ＢＵＳ２」、…は、汎用バスＢＵＳ１から８からの入力を示す。「ＤＩＲ１」、「ＤＩＲ２」、…は、ミキサ入力ｃｈ３１２のダイレクトアウトからの入力を示す。
【００５０】
図４の画面により、各ミキサ入力ｃｈ３１２、各内部エフェクタ、およびＨＤレコーダ３１９の各トラックへの入力元をそれぞれ設定することが可能である。例えば、各入力ｃｈへの入力元を設定する場合、カーソル移動キー２２１を用いてカーソルを所望の入力ｃｈの表示領域に移動し、そこで値入力操作子（データ入力ダイアル）２２２を操作することにより、当該入力ｃｈに入力可能な入力元が順次表示されるので、所望の入力元を選べばよい。なお、当然ながらスロットに入力カードが挿入してある場合のみ、スロットからの外部入力が入力元として選択可能になる。
【００５１】
図５は、各入力ｃｈ（ミキサ入力ｃｈ）からどの汎用バスＢＵＳ１〜８に出力するかを表示した画面である。ページ５０１は入力ｃｈ１〜１６についての表示、ページ５０２は入力ｃｈ１７〜２４についての表示である。５１１は入力ｃｈ１に関する表示であり、該入力ＣＨ１から汎用バスＢＵＳ１〜８またはステレオ録音用バスＳｔｅｒｅｏ＿Ｌ／Ｒへ出力が割り当てられているかを示している。四角で囲まれた「１」〜「８」が汎用バスＢＵＳ１〜８を表し、「ＳＴ」がステレオ録音用バスＳｔｅｒｅｏ＿Ｌ／Ｒを表している。これが反転表示されていると、その出力が割り当てられていることを示す。また、５１２は当該入力ｃｈ１のパン（左右の定位）の設定表示である。これらの設定は、当画面で変更可能である。
【００５２】
以上のように、本装置では、他の機器などからの入力（ミキサ入力ｃｈ）とレコーダで再生された信号の入力（レコーダｃｈ）とを区別している。ミキサ入力ｃｈは、以下の▲１▼と▲２▼の点でレコーダｃｈに対して差別化されている。
【００５３】
▲１▼ミキサ入力ｃｈは、パッチングにより入力元を切り替え可能である。これに対し、レコーダｃｈの入力元は、レコーダの所定のトラックに固定されている。この対応関係が固定であるため、ユーザにとっては接続状況が理解しやすい。
【００５４】
▲２▼ミキサ入力ｃｈ（１〜１６ｃｈ）は、その信号を（混合バスを介さずに）レコーダの１〜１６トラックへ直接に入力するための結線（ダイレクトアウト）を持つ。これに対し、レコーダｃｈは、レコーダへ直接に入力するための結線を持たない。
【００５５】
図６は、Ｑｕｉｃｋ  ＲＥＣキー２６７をオンしたとき表示される簡易録音設定画面を示す。この画面は、所定のバッファ上に格納された画面である。装置の電源が始めてオンされたときには、図４のパッチ画面で設定されている状態が反映された図６の画面が生成される。この場合は結線はクリアされている。後述するように図６の画面で各種の結線の編集を行なったときには、それがエグゼキュート・ボタンのオンで実行されるか、ＥＸＩＴキーでキャンセルされるかにかかわらず、上記バッファ上に反映されている。したがって、Ｑｕｉｃｋ  ＲＥＣキー２６７をオンして簡易録音設定画面を表示させたときには、直前の状態が再現される。この画面上で視覚的に結線することにより、ソースとレコード・トラックとのパッチングを容易に行なうことができ、さらにＲＥＣキー２５４とＰＬＡＹキー２５３とを同時に押せば録音が開始される状態までナビゲートする。
【００５６】
図６において、６０１は、各チャンネルの、チャンネル番号と入力されるソース（ＡＤ１、ＳＬ１−１など）を表示する領域である。この画面上でミキサー部のセッティング変更はできない。６１１に示すＣＨ１〜ＣＨ１６は、図３で説明したミキサ入力チャンネル３１２のＣＨ１〜ＣＨ１６を示し、この表示は固定である。このＣＨ１〜ＣＨ１６をミキサ入力チャンネルのナンバと呼ぶ。各ナンバの表示６１１の右側の表示６１２は、そのＣＨに入力するソースをそれぞれ示す。入力するソースは、当画面で後述する操作で変更可能である。６０５は、録音するトラックの表示ＴＲ１〜ＴＲ１６であり、この表示は固定である。このＴＲ１〜ＴＲ１６を録音トラックのナンバと呼ぶ。端子６０２および端子６０４は、結線に使用する端子を表し、ミキサ入力ＣＨ１〜ＣＨ１６およびトラックＴＲ１〜ＴＲ１６ごとに用意する。これらの端子間を、プラグとコードの表示６０３で接続し、これによりパッチングの状態を表す。端子６０２と６０４との間のプラグとコードの表示６０３は、任意に変更することができ、これによりパッチングの変更を行なうことができる。
【００５７】
ボタンとして、カレント（ＣＵＲＲＥＮＴ）・ボタン６０８、フラット（ＦＬＡＴ）・ボタン６０９、クリア（ＣＬＥＡＲ）・ボタン６０６、オールクリア（ＡＬＬ  ＣＬＥＡＲ）・ボタン６０７、およびエグゼキュート（ＥＸＥＣＵＴＥ）・ボタン６１０を設けてある。カーソル移動キー２２１を用いて画面上のカーソルを移動し、所望のボタンにカーソルを合わせてエンターキー２２３を押すことにより、これらのボタンをオンすることができる。
【００５８】
図１０および図１１を参照して、図６の画面におけるカーソルの移動について説明する。カーソル移動キー２２１により、カーソルを画面の上下左右に移動することができる。ただし、カーソルが設定できる位置は決まっている。図１０の１００１〜１００５は、カーソルが設定できる範囲を示す。１００１はミキサ入力チャンネルに割り当てられたソースの表示部分であり、カーソルは各ソースの表示に合わせることができる。１００２は各ミキサ入力チャンネルに対応する端子の表示であり、カーソルは各端子の表示に合わせることができる。１００３は各録音トラックに対応する端子の表示であり、カーソルは各端子の表示に合わせることができる。１００４はクリアボタン群であり、カーソルは各クリアボタンに合わせることができる。１００５はカレント・ボタン６０８、フラット・ボタン６０９、およびエグゼキュート・ボタン６１０であり、カーソルはこれらの各ボタンに合わせることができる。カーソルを左右に移動した場合は、これら各領域１００１〜１００５の間で移動する。
【００５９】
図１１は、カーソルを上下方向に移動したときに、カーソルが位置する範囲を示す。１１０１の範囲はカーソルが最上位に位置する場合を示す。ここから下方向に移動すると、途中で１１０２の範囲に入り、最下行で１１０３の範囲に入る。
【００６０】
以上のように、カーソルが位置する範囲は決まっており、この範囲内で、ユーザが操作した上下左右方向のカーソル移動キーにほぼ視覚上見合うようにカーソルが上下左右に移動するものとする。
【００６１】
図６の画面における簡易録音設定の操作と動作について説明する。
【００６２】
まず、任意のミキサ入力チャンネルＣＨ１〜ＣＨ１６のソースの表示６１２にカーソルを合わせ、ＪＯＧダイアル２２２を操作することにより、選択肢「ＡＤ１」〜「ＡＤ８」、「ＳＬ１−１」〜「ＳＬ１−８」、「ＳＬ２−１」〜「ＳＬ２−８」、「ＤｉｎＬ」、「ＤｉｎＲ」、「ＭＥＴ」、および「ＳＭＰ１」〜「ＳＭＰ８」が表示されるので、所望のソースを表示することにより当該ＣＨのソースを変更できる。なお、「ＡＤ１」〜「ＡＤ８」はアナログ入力３０１、「ＳＬ１−１」〜「ＳＬ１−８」と「ＳＬ２−１」〜「ＳＬ２−８」はスロット３０２，３０３に挿入されたカードからの入力、「ＤｉｎＬ」と「ＤｉｎＲ」はディジタル入力３０４、「ＭＥＴ」はメトロノーム、「ＳＭＰ１」〜「ＳＭＰ８」は内部サンプラ３０５からの入力を、それぞれ示す。図９の９０１は、ＣＨ９にカーソルを合わせ、ＪＯＧダイアル２２２を操作して、ソースをＳＬ１−１にセットしたところを示す。この状態は、バッファに取り込まれる。
【００６３】
ミキサ入力チャンネルＣＨ１〜ＣＨ１６と録音トラックＴＲ１〜ＴＲ１６とは、１対１で接続可能であるとともに、１対「複数」でも接続可能とする。ただし、「複数」対１は設定できない。これ以外の設定は、より詳細なパッチ画面で行なう。
【００６４】
ミキサ入力チャンネルＣＨ１〜ＣＨ１６と録音トラックＴＲ１〜ＴＲ１６との結線、すなわち端子６０２と６０４との間の接続（結線）の操作方法は、以下の通りである。ここでは、先にミキサ入力チャンネルＣＨ１〜ＣＨ１６を選択する場合と、先に録音トラックＴＲ１〜ＴＲ１６を選択する場合とに分けて、説明する。
【００６５】
先にミキサ入力チャンネルＣＨ１〜ＣＨ１６を選択する場合は、まずミキサ入力チャンネルＣＨ１〜ＣＨ１６の何れかの端子６０２にカーソルを合わせ、エンターキー２２３を押して、当該ミキサ入力チャンネルを選択する。エンターキー２２３を押すことにより、選択したミキサ入力チャンネルのナンバと入力ソースが反転表示される。なお、以後の結線作業中、ミキサ入力チャンネルのナンバと入力ソースの表記部分は反転表示したままである。また、ミキサ入力チャンネルの選択後、カーソルは、結線作業を中止するまでその移動が制限され、ミキサ入力チャンネルに対応する端子の表記部分（図１０の１００２）と録音トラックに対応する端子の表記部分（図１０の１００３）以外には移動できない。
【００６６】
ミキサ入力チャンネルの選択後、それとは異なるミキサ入力チャンネルに対応する端子にカーソルを合わせてエンターキー２２３を押した場合は、先に選択されていたチャンネルの選択状態が解除され、新たに指定されたチャンネルが選択状態となる。ミキサ入力チャンネルの選択後、再び同じミキサ入力チャンネルに対応する端子にカーソルがある状態でエンターキー２２３を押した場合は、当該チャンネルの選択状態が解除され、結線の作業を中止する。
【００６７】
ミキサ入力チャンネルの選択後、カーソルを録音トラックの端子６０４に移動すると、録音トラックのナンバＴＲ１〜ＴＲ１６のうちカーソルがセットされているナンバが反転表示される。ここでカーソルを上下に移動（図１０の１００３の範囲内）させると、反転表示するナンバも変わる。録音の設定にかかわらず、すべてのトラックに対応する端子にカーソルを移動できる。所望のトラックの端子にカーソルを合わせてエンターキー２２３を押すことにより、録音するトラックを選択することで、結線が完了する。結線完了により、反転表示は元に戻る。ここでプラグとコードを描画する。結線完了により、カーソルの移動の制限も解除される。
【００６８】
図６では、６２１に示すように、カーソルがＣＨ５の端子にセットされている。図７は、図６の状態からＣＨ５を選択して７０１に示すように反転表示させ、次にカーソルをＴＲ９の端子に合わせたところを示す。ＴＲ９は、７０２のように反転表示されている。カーソルはＴＲ９の端子７０３にセットされている。ここで、エンターキー２２３を押すことにより、図８の８０１の結線が完了する。
【００６９】
なお、既に録音先として選択されているトラックに対応する端子上でエンターキー２２３が押された場合は、先に結線されている設定を無効とし、新たに設定された結線を有効して結線完了する。
【００７０】
次に、先に録音トラックＴＲ１〜ＴＲ１６を選択する場合を説明する。この場合、まずトラックＴＲ１〜ＴＲ１６の何れかの端子にカーソルを合わせ、エンターキー２２３を押して、録音するレコーダのトラックを選択する。エンターキー２２３を押すことにより、選択したトラックのナンバが反転表示される。なお、以後の結線作業中、トラックのナンバ部分は反転表示したままである。また、トラックの選択後、カーソルは、結線作業を中止するまでその移動が制限され、ミキサ入力チャンネルに対応する端子の表記部分（図１０の１００２）と録音トラックに対応する端子の表記部分（図１０の１００３）以外には移動できない。
【００７１】
トラックの選択後、それとは異なるトラックに対応する端子にカーソルを合わせてエンターキー２２３を押した場合は、先に選択されていたトラックの選択状態が解除され、新たに指定されたトラックが選択状態となる。トラックの選択後、再び同じトラックに対応する端子上にカーソルがある状態でエンターキー２２３を押した場合は、当該トラックの選択状態が解除され、結線の作業を中止する。
【００７２】
トラックの選択後、カーソルをミキサ入力チャンネルの端子６０２に移動した場合、その端子に対応するミキサ入力チャンネルのナンバと入力ソースの部分を反転表示する。ここでカーソルを上下に移動（図１０の１００２の範囲内）させると、反転表示するナンバと入力ソースも変わる。すべてのミキサ入力チャンネルの端子にカーソルを移動できる。所望のミキサ入力チャンネルの端子にカーソルを合わせてエンターキー２２３を押すことにより、ミキサ入力チャンネルを選択することで、結線が完了する。結線完了により、反転表示は元に戻る。ここでプラグとコードを描画する。結線完了により、カーソルの移動の制限も解除される。
【００７３】
クリア・ボタン６０７はトラックごとに設けられており、それぞれ対応するトラックの結線を解除するボタンである。また、オールクリアボタンをオンすることにより、すべてのトラックの結線を解除することができる。
【００７４】
画面上の結線は、エグゼキュート・ボタン６１０を押したかどうかにかかわらず、画面上で１つの線が結線あるいは解線（結線の解除）されるたびにバッファに保存する。
【００７５】
カレント・ボタン６０８とフラット・ボタン６０９は、常にどちらかがオンされた状態にあり、トグルで切り替わる。すなわち、カレント・ボタン６０８がオンされている状態でフラット・ボタン６０９をオンすると、カレント・ボタン６０８は強制的にオフされる。その逆も同様である。エグゼキュート・ボタン６１０をオンするとそのときの画面のパッチングの状態（ミキサ入力ｃｈへの入力信号の割り当てと、ミキサ入力ｃｈの録音トラックへの結線）が設定されるが、そのときカレント・ボタン６０８がオンされているかフラット・ボタン６０９がオンされているかで、録音ソースとして選択されたミキサｃｈの設定状態を、初期状態にするかまたはそのままの状態にするかが決定される。従来のように、管理録音設定するとすべてのミキサｃｈの設定を初期化してしまうと、それまでに調整してあった状態が初期化されてしまうため、再び設定し直す場合があった。本実施の形態では、カレント・ボタン６０８をオンしておけば、録音ソースとして選択されたミキサｃｈの設定状態はそのまま維持されるので、使い勝手が良い。一方、ミキサｃｈの状態を初期化したい場合には、フラット・ボタン６０９を押しておくだけでよい。
【００７６】
以上のように結線および解線を行なった後、エグゼキュート・ボタン６１０を押すと、次の処理を行なう。
【００７７】
図１２（ａ）は、フラット・ボタン６０９がオンされた状態でエグゼキュート・ボタン６１０をオンしたときの処理を示す。ステップ１２０１で、入力信号のミキサ入力チャンネルへの割り当て（インプットパッチ）を、画面で設定された通りに変更する。ステップ１２０２で、録音ソースとして選択されたミキサ入力チャンネルについてのみチャンネルライブラリ＃０１をリコールする。チャンネルライブラリとは、コンプレッサやイコライザなどの設定状態、フェーダのレベルなどの設定状態、ミキサ入力チャンネルからどこに出力されるかを表すルーティングの設定状態など、各種の設定状態を保持するファイルである。チャンネルライブラリは、プリセットの複数のファイルがＨＤ１０８に用意されており、チャンネルライブラリ＃０１はプリセットのファイルであって標準状態を設定するファイルである。したがって、ステップ１２０２により、録音ソースとして選択されたミキサ入力チャンネルについて標準状態に設定されることになる。標準状態とは、コンプレッサやイコライザなどの設定が全てフラット（操作していない状態）で、フェーダが基準レベル（０デシベル（音量が０という訳ではない））、ルーティングはステレオバス３１５のみオン、などの標準の設定である。次に、ステップ１２０３で、録音ソースとして選択されたミキサ入力チャンネルについてのみ、ステレオバス３１５へのルーティングをオフにする。これは、ステレオバス３１５が録音モニタ用のバスとして使用されるためである。
【００７８】
なお、ペアリングされたミキサーチャンネルが録音ソースとして選択された場合は、ペアリングを解除して、録音ソースとして選択されたミキサーチャンネルのみチャンネルライブラリー＃０１をリコールする。
【００７９】
次に、ステップ１２０４で、画面上で結線されているミキサ入力チャンネルと録音トラックについて結線のパッチングを変更する。内部的には、レコーダートラックインプットアサイン（図４の「ＨＤＲ  ＴＲＡＣＫ  ＩＮＰＵＴ  ＡＳＳＩＧＮ」４０３）に、録音ソースとなるミキサ入力ｃｈのダイレクトアウトをアサインする。ステップ１２０５で、録音先として選択されたトラックのＲＥＣ  ＲＥＡＤＹをオンにする。ＲＥＣ  ＲＥＡＤＹがオンのトラックが、録音するトラックとなる。本実施形態では、簡易録音設定において、ダイレクトアウトを使用しているので、当該設定をしないミキサ入力ｃｈ、レコーダｃｈ、ミキシングバス等についての設定を変更せずにそのままにしておくことができる。
【００８０】
さらに、ステップ１２０６で、録音先として選択されたトラックのモニターチャンネル（レコーダｃｈ３２０）は、チャンネルライブラリ＃０１をリコールする。これにより、当該レコーダｃｈの出力はステレオバス３１５へルーティングされ、ステレオバス３１５にてミキシングされる。ユーザは、出力パッチでステレオバス３１５の出力をモニタ用のサウンドシステムが接続された出力に結線することにより、録音モニタを行なうことができる。なお、このとき、ペアリングされたチャンネルが録音先に選択された場合は、ペアリングを解除して、録音先に選択されたチャンネルにチャンネルライブラリー＃０１をリコールするものとする。最後に、ステップ１２０７で、フェーダのレイヤを１−１６ｃｈ選択状態とし、画面を所定のページに変更して、処理終了する。
【００８１】
図１２（ｂ）は、カレント・ボタン６０８がオンされた状態でエグゼキュート・ボタン６１０をオンしたときの処理を示す。ステップ１２１１は図１２（ａ）のステップ１２０１に対応し、ステップ１２１３〜１２１７は図１２（ａ）のステップ１２０３〜１２０７にそれぞれ対応する。カレント・ボタン６０８がオンされた状態では、図１２（ａ）のステップ１２０２が実行されない点が異なる。これにより、ステップ１２０２が実行されないので、カレント・ボタン６０８がオンされた状態では、録音ソースとして選択されたミキサ入力チャンネルについて設定状態が初期化されることがなく、設定状態はそのまま維持される。なお、ステップ１２１３で、録音ソースとして選択されたミキサ入力チャンネルのステレオバスアサインへのルーティングをオフにするとき（他の設定状態は変更しない）、ペアリングされたチャンネルのうち片方だけが録音ソースとなり、もう一方のチャンネルが録音ソースとならない場合は、両チャンネルのステレオバスアサインをオフにするものとする。
【００８２】
以上のように図１２（ａ）および図１２（ｂ）の何れの手順でも、録音用に指定されなかったミキサ入力チャンネルについては、その設定状態を変更していないので、それらのチャンネルはそのままの状態が保持（録音指定は解除する）される。また、モニタ用バスであるステレオバス３１５へのルーティングについては、録音先として選択されたトラックのレコーダｃｈをステレオバス３１５へルーティングし、録音先として選択されなかったトラックのレコーダｃｈのルーティングについては設定状態を変えることなくそのままの状態を引き継ぐようにしている。これにより、録音モニタを行なうことができるとともに、録音先として指定されないトラックについては状態変更することなく出力されることになる。なお、録音先として指定されないトラックについては、モニタ用バスであるステレオバス３１５へのルーティングを禁止するようにしてもよい。禁止することで、無条件に録音するトラックのみをモニタすることができる。さらに、録音先として選択されなかったトラックのレコーダｃｈのルーティングについて、そのままの状態を引き継ぐモードと、モニタ用バスであるステレオバス３１５へのルーティングを禁止するモードとを、切り替え可能にしてもよい。
【００８３】
なお、エグゼキュート・ボタン６１０を押すことにより簡易録音設定の実行が行なわれるので、逆に言えば、エグゼキュート・ボタン６１０が操作される直前までは、簡易録音設定（入力ｃｈの入力パッチ、入力ｃｈの各種設定、トラックの設定など）は実行されない。図６から図９で説明した簡易録音設定画面はいつでも不図示のＥＸＩＴキーなどにより抜けることができる。
【００８４】
また、図６から図９で説明した簡易録音設定画面でエグゼキュート・ボタン６１０が押されたときのパッチング（入力パッチ）は、図４の「ＨＤＲ  ＴＲＡＣＫ  ＩＮＰＵＴ  ＡＳＳＩＧＮ」４０３に結果が反映されるが、図４の「ＨＤＲＴＲＡＣＫ  ＩＮＰＵＴ  ＡＳＳＩＧＮ」４０３で設定されたパッチングは簡易録音設定画面には反映されない。また、他の画面から簡易録音設定画面にアクセスした場合は、バッファ内の結線を表示する。デフォルト（電源立ち上げ直後）は、インプットパッチのみカレントシーンの内容を反映し、他は全く結線されていない状態とする。さらに、簡易録音設定用のライブラリは用意しない。
【００８５】
【発明の効果】
以上説明したように、この発明によれば、１入力チャンネルおよび１トラック単位で簡易録音設定が行なえるので小回りの利く簡易録音設定が行なえる。また、簡易録音設定画面で入力チャンネルへの入力割り当てを選択設定できる。さらに、簡易録音設定の直前に調整していた状態を保持することができるので、発明が解決しようとする課題に示したような強制的に初期化される不都合を回避できる。
【図面の簡単な説明】
【図１】本発明の実施の形態に係るミキシング機能を備えたマルチトラック・ディジタル録音再生装置の全体構成図
【図２】図１の装置のパネル外観図
【図３】ミキシング処理の概要を表すブロック図
【図４】入力パッチによる割り当ておよび録音セレクタによる割り当てを行なう画面例を示す図
【図５】各入力ｃｈからどの汎用バスに出力するかを表示した画面図
【図６】簡易録音設定画面の例（その１）を示す図
【図７】簡易録音設定画面の例（その２）を示す図
【図８】簡易録音設定画面の例（その３）を示す図
【図９】簡易録音設定画面の例（その４）を示す図
【図１０】簡易録音設定画面におけるカーソル移動（左右方向）を説明するための図
【図１１】簡易録音設定画面におけるカーソル移動（上下方向）を説明するための図
【図１２】エグゼキュート・ボタンがオンされたときの処理を示すフローチャート図
【図１３】クイックＲＥＣ画面を示す図
【符号の説明】
１０１…表示器、１０２…フェーダ、１０３…操作子、１０４…中央処理装置（ＣＰＵ）、１０５…フラッシュメモリ、１０６…ランダム・アクセス・メモリ（ＲＡＭ）、１０７…パーソナル・コンピュータとの入出力（Ｉ／Ｏ）インターフェース、１０８…ハードディスク（ＨＤ）、１０９…転送回路、１１０…バッファメモリ、１１１…ディジタル・シグナル・プロセッサ（ＤＳＰ）、１２２…バスライン、１１２…アナログ入力（ＡＤ）、１１３…ディジタル入力（ＤｉｎＬ／Ｒ）、１１４，１１５…スロット（ＳＬ）、１１８…アナログ出力（ＡｏｕｔＬ／Ｒ）、１１９…ディジタル出力（ＤｏｕｔＬ／Ｒ）、１２０…オムニ出力（ＯＭＮＩ）。
【図１】
0003700931.tif 000002
【図２】
0003700931.tif 000003
【図３】
0003700931.tif 000004
【図４】
0003700931.tif 000005
【図５】
0003700931.tif 000006
【図６】
0003700931.tif 000007
【図７】
0003700931.tif 000008
【図８】
0003700931.tif 000009
【図９】
0003700931.tif 000010
【図１０】
0003700931.tif 000011
【図１１】
0003700931.tif 000012
【図１２】
0003700931.tif 000013
【図１３】
0003700931.tif 000014